(57)【要約】【課題】電池容量が残存するにもかかわらず廃棄してしまうことが多い、理由は、電池容量を簡単に誰でもがチェックできるものがないためである。最近、電池チェッカーが市販されてはいるが操作が複雑で高価格である為に、一般家庭では経済的に負担が大きくて普及するのは難しい状況にある。【解決手段】先端側が開閉するように設けられた一対のはさみ部を有し、根元側にはさみ部の末端側をボルトで連結し、はさみ部をバネで弾設され、はさみ部の開閉する両先端部に電極を固設し、少なくともはさみ部の一方に小型電球を具備し、はさみ部の両電極と小型電球とをケーブルで配線して、小型電球は、電池容量を発光彩色の変化で残存率を判定する。【選択図】図１
2006085942.tif 000002
【特許請求の範囲】
【請求項１】
先端側が開閉するように設けられた一対のはさみ部を有し、根元側に前記はさみ部の末端側をボルトで連結し、はさみ部をバネで弾設されていることを特徴とする簡易電池チェッカー。
【請求項２】
請求項１記載の簡易電池チェッカーにおいて、はさみ部の開閉する両先端部に電極を固設し、少なくともはさみ部の一方に小型電球を具備したことを特徴とする簡易電池チェッカー。
【請求項３】
請求項１、または請求項２記載の簡易電池チェッカーにおいて、はさみ部の両電極と小型電球とをケーブルで配線していることを特徴とする簡易電池チェッカー。
【請求項４】
請求項２、及び請求項３に記載した小型電球は、電池容量を発光彩色の変化で残存率を判定することを特徴とする簡易電池チェッカー。
【発明の詳細な説明】
【技術分野】
【０００１】
この発明は電池容量を簡単にチェックするもので、特別な電気知識のない女性や子供でも気軽に扱え、簡単に電池容量をチェックするものである。
【背景技術】
【０００２】
従来から、電池容量が残存するかどうかのチェックをする際には、工業用測定器でテスターと言われる測定器で測定されていた、また家庭用として市販されている電池チェッカーは、予め標準規格の電池をその種類毎に電池ボックスに差し込んで測定するものが実用に供せられている。
【特許文献１】特開平５−５７７６号公報
【発明の開示】
【発明が解決しようとする課題】
【０００３】
家庭で使用される電気製品には電池を電源とする製品が極めて多い、例えば、テレビやステレオやエアコンなどのリモコンの電池、電卓や時計、カメラ、電子体温計、携帯ラジオ、ウオークマン(商標登録)、ゲーム機、玩具、懐中電灯など多岐にわたっており、使用電池も単１から単５までの標準規格電池とボタン形薄板電池、角形電池等とその種類も年々多種多様になっている、これらの電池は製品使用と共に電池容量が減少し、長時間使用しなければ消耗するなどの問題がある。
【０００４】
電気製品を長期間使用しないときは、電池の容量測定などせずに電池の寿命切れと自己判断で新しい電池に交換してしまうことが多く、操作の間違や製品の故障によって動作しない事もある、時には新しい電池と古い電池が混同して使用できない事もある。
【０００５】
このように電池の容量が有るにもかかわらず安易に交換してしまうことは、経済上からも決して好ましい事ではなく、また電池の再利用を考慮しなければ資源が無駄に消費されることとなり、環境汚染を標榜する上からも看過すべきことではない。
【０００６】
工業用測定器で通常テスターと言われるもので正確に測定していた、このテスターは工業用であるため高価で取扱いも困難で一般家庭には不向きである。
【０００７】
また家庭用として市販されている電池チェッカーは、予め標準規格の電池をその種類毎に電池ボックスに差し込んで測定しなければならない、多種多様な電池が製造されている近年は規格外の電池では既存の電池チェッカーでは用をなさない。又、上下スライド式のものは持ち運びや格納に不便であり価格が高く家庭には不適当である。
【課題を解決するための手段】
【０００８】
本発明は上記目的を達成するため、請求項１記載の発明は、先端側が開閉するように設けられた一対のはさみ部を有し、根元側に前記はさみ部の末端側をボルトで連結し、はさみ部をバネで弾設されていることを特徴とする。
【０００９】
また請求項２記載の発明は、請求項１記載の簡易電池チェッカーにおいて、はさみ部の開閉する両先端部に電極を固設し、少なくともはさみ部の一方に小型電球を具備したことを特徴とする。
【００１０】
また請求項３記載の発明は、請求項１、または請求項２記載の簡易電池チェッカーにおいては、はさみ部の両電極と小型電球とをケーブルで配線していることを特徴とする。
【００１１】
また請求項４記載の発明は、請求項２、及び請求項３に記載した小型電球は、電池容量を発光彩色の変化で残存率を判定することを特徴とする。
【発明の効果】
【００１２】
本発明の簡易電池チェッカーは、はさみ状の構造であるので、電池の陽極（＋）と陰極（−）両極を挟めば具備された小型電球が点灯して電池容量の残存を示し、なおかつ、電球の発光彩色を光度表に照合して電池の容量を判定する事が出来る。
【００１３】
また、本発明の簡易電池チェッカーは、はさみ部の末端側をボルトで貫通されバネが装着されているため、閉じることができて、持ち運びも簡単である。
【００１４】
本発明の簡易電池チェッカーは女性や子供でも簡単に取扱えて、電池容量を残さずに使い切ることができる、構造も簡単で製造コストも安価各家庭に提供する事ができる。したがって、資源の有効活用と環境汚染に対する社会的貢献も図れる。
【実施例１】
【００１５】
以下、本発明の実施例を図面に基づいて具体的に説明する。図１は、この発明に係わる簡易電池チェッカーの斜視図である。また、図２はこの発明に係わる簡易電池チェッカーの正面図である。図３は、この発明に係わる簡易電池チェッカーの小型電球の光度表である。
【００１６】
図１、図２において、簡易電池チェッカー１は先端側が開閉するように設けられた一対のはさみ部の開閉する両先端部に電極２ａ，２ｂを固設し、根元側に前記はさみ部の末端側をボルト６で連結し、はさみ部をバネ５で弾設されている、はさみ部の一方に小型電球３を具備し、はさみ部の両電極と小型電球３とをケーブル４で配線している。
【００１７】
図２が示すように、電池７の両極をはさみ部の両先端部の電極２ａ，２ｂに挟む、バネ５によって電池７の両極とはさみ部先端部の両極は着接する。
【００１８】
前記はさみ部の両先端部の電極２ａと電極２ｂと小型電球３はケーブル４によって接続されている。
【００１９】
前記電池７の電池容量が残存しているときは小型電球３が点灯し、電池容量が残存していないときは小型電球３は点灯しない。
【００２０】
前記電池７の電池容量が残存しているときは小型電球３が点灯し、小型電球３の発光状態が赤色微光ならば殆ど電池容量の余力に乏しく使用不可能状態を示している。電池の威力の格付は図３の光度表と発光彩色を照合して残存率を判定する。点滅もしくは消灯であれば、残存率が０％に近いことを示す。
【００２１】
電池容量が残存するときは点灯する、電池容量の量に応じて点灯する小型電球３の発光彩色が異なる。
【００２２】
図３の光度表において、たとえば小型電球３の発光彩色が白黄色のときは残存率が７０〜６０％の容量が有り、赤黄色のときは残存率が５０〜４０％の容量がある、また赤色のときは残存率が３０〜２０％で、橙赤色のときは残存率が１０〜０％である。
【００２３】
図１、図２において、はさみ部は開いた状態を示している。はさみ部は開いた状態ではバネ５は伸びており、使用していない状態ではバネ５は縮んだ状態で、はさみ部は閉の状態にある、そのため持ち運びが簡単になる。
【００２４】
一対のはさみ部の開閉は末端側をボルト６で貫通し連結しており、ボルト６を軸として開閉を行う。
【００２５】
本発明の簡易電池チェッカー１において、標準規格電池の大形の単１形電池でも両極を挟んで電池容量のチェックができる、また単５形の小径電池や角形異形電池などの多種多様な電池においてでも両極を挟むことで電池容量のチェックが簡単にできる。そのため電池の容量を残すことなく使い切ることができる。
【産業上の利用可能性】
【００２６】
本発明は、多種多様な電池の電池容量を一対のはさみ部で、はさんで小型電球の発光彩色を見ることで簡単に誰でもがチェックすることができる簡易電池チェッカーに関する。
【図面の簡単な説明】
【００２７】
【図１】この発明に係わる簡易電池チェッカーの斜視図である。
【図２】この発明に係わる簡易電池チェッカーの正面図である。
【図３】この発明に係わる簡易電池チェッカーの小型電球の光度表である。
【符号の説明】
【００２８】
１    簡易電池チェッカー
２ａ  電極（＋）
２ａ  電極（−）
３    小型電球
４    ケーブル
５    バネ
６    ボルト
７    電池
【図１】
2006085942.tif 000003
【図２】
2006085942.tif 000004
【図３】
2006085942.tif 000005